【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
第一の表面を有する管の、第二の表面を有する対象物への接合方法であって、
（ｉ）有効量の硬化性一液型又は二液型接着剤組成物を、管の第一の表面、対象物の第二の表面又は両表面に適用する工程（但し、この接着剤は、（ａ）ホウ素含有開始剤化合物、（ｂ）１種又はそれ以上の、フリーラジカル重合により重合することができるオレフィン性不飽和を有するモノマー、オリゴマー、ポリマー又はこれらの混合物及び（ｃ）任意的な脱錯化剤を含む）並びに
（ｉｉ）管の第一の表面を対象物の第二の表面と接合する工程
を含んでなる前記接合方法。
【請求項２】
対象物が継ぎ手である請求項１に記載の方法。
【請求項３】
管が外側表面を有するスピゴットを含み、そして継ぎ手が内側表面及びスピゴットを受け入れるための開放端を有するベルを含み、それによって、
（ｉ）硬化性接着組成物を、スピゴットの外側表面、ベルの内側表面又は両表面に適用し、そして
（ｉｉ）スピゴットをベルの中に挿入することによって、継ぎ手と管とを接合する請求項２に記載の方法。
【請求項４】
管及び対象物が、独立に、金属、多層プラスチック、多層コンポジット、熱可塑性樹脂、熱硬化性樹脂又はこれらの組合せを含む請求項１に記載の方法。
【請求項５】
管及び対象物が熱可塑性樹脂である請求項１に記載の方法。
【請求項６】
管及び対象物がポリオレフィン、アクリロニトリル、ブタジエン及びスチレンターポリマー、ポリ塩化ビニル、塩素化ポリ塩化ビニル又はこれらのブレンドを含む請求項１に記載の方法。
【請求項７】
管及び対象物がポリプロピレンである請求項１に記載の方法。
【請求項８】
管及び対象物がポリエチレンである請求項１に記載の方法。
【請求項９】
管が第一の熱可塑性樹脂であり、そして対象物がその第一の熱可塑性樹脂とは異なる第二の熱可塑性樹脂である請求項１に記載の方法。
【請求項１０】
ホウ素含有開始剤化合物（ａ）が、
（ａｉ）下記の構造：
【化１】
2007502352.tif 000001
（式中、Ｂはホウ素を表し、Ｒ20はＣ1〜Ｃ10アルキルであり、Ｒ21は、それぞれ存在する場合に独立に、Ｃ1〜Ｃ10アルキル、Ｃ3〜Ｃ10シクロアルキル、フェニル、フェニル置換Ｃ1〜Ｃ10アルキル又はフェニル置換Ｃ3〜Ｃ10シクロアルキルであるが、Ｒ20及び／又はＲ21の任意の２個は、任意的に、炭素環式環の一部であってよく、そしてＭ+は金属イオン又は第四級アンモニウムイオンである）
を有する有機ボレート、
（ａｉｉ）下記の構造：
【化２】
2007502352.tif 000002
（式中、Ｂはホウ素を表し、Ｊは酸素又は硫黄であり、Ｊが酸素を表すとき、ｎは整数２、３、４又は５であり、Ｊが硫黄を表すとき、ｎは整数１、２、３、４又は５であり、Ｒ30、Ｒ31、Ｒ32及びＲ33は、独立に、炭素数１〜１０の置換された若しくは置換されていないアルキル若しくはアルキレン基、炭素数７〜１２の置換されたアリール基又は置換されていないアリール基であり、Ｒ31、Ｒ32及びＲ33は、水素であってよく、Ｒ30は、第二の置換されていない又は置換された環式ボレートの一部であってよく、Ｒ30は、スピロ環又はスピロ−エーテル環を含むことができ、Ｒ30はＲ31と一緒に結合して、シクロ脂肪族環を形成することができ又はＲ30はＲ31と一緒に環式エーテル環を含むことができ、そしてＭは任意の正に帯電した種であり、ｍは０よりも大きい）
を有する、内部的にブロックされたボレート、
（ａｉｉｉ）下記の構造：
【化３】
2007502352.tif 000003
（式中、Ｂはホウ素を表し、Ｒ40、Ｒ41及びＲ42は、独立に、炭素数１〜１０のアルキル基及びフェニル含有基であり、Ｒ43は水素又は有機基であり、Ｍ＋は一価のカチオン若しくはオニウム又は多価カチオンを表す）
を有する、ヒドロキシド／アルコキシド有機ボラン開始剤及び
（ａｉｖ）下記の構造：
Ｂ−（Ｒ2）3  Ａｍ
（式中、Ｂはホウ素を表し、そしてＲ2は、それぞれ存在する場合に別々に、Ｃ1〜Ｃ10アルキル、Ｃ3〜Ｃ10シクロアルキルであり又はＲ2の２個若しくはそれ以上は、組み合わさって、シクロ脂肪族環を形成することができ、そしてＡｍはアミンである）
を有する有機ボランアミン錯体の少なくとも１種を含む請求項１に記載の方法。
【請求項１１】
有機ボランアミン錯体（ａｉｖ）中のアミンが、第一級アミン；第二級アミン；第一級アミン若しくは第二級アミン若しくは両方を有するポリアミン；アンモニア；ポリオキシアルキレンアミン；ジアミンと、アミンと反応する単位を有する二官能性化合物との反応生成物（但し、この反応生成物は末端アミン基を有する）；アリールアミン；複素環式アミン；アミジン構造成分を有する化合物；複素環式環内に少なくとも１個の第二級窒素を有する脂肪族複素環（但し、この複素環式化合物は、また、複素環内に、１個又はそれ以上の追加の、第二級若しくは第三級窒素原子、酸素原子、硫黄原子又は二重結合を含有していてよい）；脂環式環に結合した、１個又はそれ以上の、アミン単位を含有する置換基を有する脂環式化合物、共役イミン又はこれらの混合物である請求項１０に記載の方法。
【請求項１２】
ホウ素含有開始剤化合物が構造：
【化４】
2007502352.tif 000004
［式中、Ｂはホウ素であり、
Ｒ1は、それぞれ存在する場合に別々に、水素、Ｃ1〜Ｃ10アルキル又はＣ3〜Ｃ10シクロアルキルであり、
Ｒ2は、それぞれ存在する場合に別々に、Ｃ1〜Ｃ10アルキル、Ｃ3〜Ｃ10シクロアルキルであり又はＲ2の２個若しくはそれ以上は一緒になって、シクロ脂肪族環構造を形成することができ、
Ｒ3は、それぞれ存在する場合に別々に、水素、Ｃ1〜Ｃ10アルキル、Ｃ3〜Ｃ10シクロアルキルであり又は隣接する原子上のＲ3若しくはＲ4と共に二重結合を形成し、
Ｒ4は、それぞれ存在する場合に別々に、水素、Ｃ1〜Ｃ10アルキル、Ｃ3〜Ｃ10シクロアルキル、Ｃ6〜Ｃ10アリール又はＣ6〜Ｃ10アルカリールであり、
Ｒ5及びＲ6は、それぞれ存在する場合に別々に、水素、Ｃ1〜Ｃ10アルキル、Ｃ3〜Ｃ10シクロアルキル、Ｎ（Ｒ4）2であり、Ｒ7は、それぞれ存在する場合に別々に、水素、Ｃ1〜Ｃ10アルキル、Ｃ3〜Ｃ10シクロアルキルであり、又はＲ5、Ｒ6及びＲ7の２個若しくはそれ以上は、任意の組合せで組み合わさって、単一環若しくは複数環構造であってよい環構造を形成することができ、そしてこの環構造には、環構造内に１個又はそれ以上の窒素、酸素若しくは不飽和が含まれてよく、
Ｒ9は、それぞれ存在する場合に独立に、水素、Ｃ1〜Ｃ10アルキル又はＣ3〜Ｃ10シクロアルキル、Ｙ、−（Ｃ（Ｒ9）2−（ＣＲ9＝ＣＲ9）c−Ｙであり又はＲ9の２個若しくはそれ以上は一緒になって環構造を形成することができ又はＲ9の１個又はそれ以上はＹと共に環構造を形成することができるが、環構造はイミン窒素の二重結合に関して共役しており、
Ｒ10は、それぞれ存在する場合に別々に、Ｃ1〜Ｃ10アルキル、Ｃ3〜Ｃ10シクロアルキル又は−（Ｃ（Ｒ1）2）d−Ｗであり、
Ｗは、それぞれ存在する場合に別々に、水素、Ｃ1-10アルキル又はＸであり、
Ｘは、ＯＲ10、ＳＲ10又はハロゲンであり、
Ｙは、それぞれ存在する場合に独立に、水素、ＳＲ4、Ｎ（Ｒ4）2、ＯＲ4、Ｃ（Ｏ）ＯＲ4、ハロゲン又はＲ7若しくはＲ9と共に環式環を形成するアルキレン基であり、
Ｚは、それぞれ存在する場合に別々に、酸素又は−ＮＲ4であり
ａは、それぞれ存在する場合に別々に、１〜１０の整数であり、
ｂは、それぞれ存在する場合に別々に、０又は１であるが、ａ及びｂの合計は、２〜１０でなくてはならず、
ｃは、それぞれ存在する場合に別々に、１〜１０の整数であり、
ｄは、それぞれ存在する場合に別々に、１〜４の整数であり、
ｘは、それぞれ存在する場合に別々に、１〜１０の整数であり、但し、ｘの全ての存在の合計は、２〜１０であり、そして
ｙは、それぞれ存在する場合に別々に、０又は１である］
を有する有機ボランアミン錯体を含む請求項１に記載の方法。
【請求項１３】
ホウ素含有開始剤化合物が構造：
【化５】
2007502352.tif 000005
［式中、
Ｂはホウ素であり、
Ｒ2は、それぞれ存在する場合に別々に、Ｃ1〜Ｃ10アルキル、Ｃ3〜Ｃ10シクロアルキルであり又はＲ2の２個若しくはそれ以上は一緒になって、シクロ脂肪族環を形成することができ、
Ｑは加水分解性部分であり、
Ｒ11は、それぞれ存在する場合に独立に、水素、アルキル、アルコキシ、アルケニル、アルキルアミノであり又は式（（ＣＲ14Ｈ）rＯ）n−（ＮＲ4）−（ＣＨ2）o−ＮＨ2に対応するが、少なくとも（Ｒ11）’はこれをそのままで残す第一級アミンであり、
Ｒ12は、それぞれ存在する場合に独立に、水素、アルキル、アリール、アルコキシであり、そして更に１個又はそれ以上の第一級、第二級又は第三級アミンを含んでよく、
Ｒ14は、それぞれ存在する場合に別々に、水素又はアルキルであり、
Ｒ4は、水素、Ｃ1〜Ｃ10アルキル、Ｃ6〜Ｃ10アリール又はＣ7〜Ｃ10アルカリールであり、
ａは１〜１０の数であり、
ｂは０〜１の数であり、
ｍは、それぞれ存在する場合に別々に、１又はそれ以上の整数であり、
ｐは、それぞれ存在する場合に別々に、１〜３の数であり、
ｑは、それぞれ存在する場合に別々に、１〜２の整数であるが、それぞれのケイ素原子上のｐ及びｑの合計は３であり、
ｎは、それぞれ存在する場合に別々に、４〜４００の整数であり、
ｏは、それぞれ存在する場合に別々に、１〜９の整数であり、そして
ｒは、それぞれ存在する場合に別々に、２又は４の整数である］
を有する有機ボランアミン錯体を含む請求項１に記載の方法。
【請求項１４】
ルイス酸、ブレンステッド酸、無水物、イソシアネート、スルホン酸塩化物、メタクリル酸又は無水マレイン酸とメタクリル酸ヒドロキシエチルとの付加物から選択された脱錯化剤を含む請求項１に記載の方法。
【請求項１５】
接着剤が、更に、有効量の、イソシアネート含有化合物；１種若しくはそれ以上の、開環複素環式部分を有する重合していない若しくは部分的に重合した化合物及び任意的に複素環式部分を含有する化合物の重合を開始することができるルイス酸触媒；１種若しくはそれ以上の、その重合できる主鎖内にシロキサン基及び反応性部分を有する化合物、オリゴマー若しくはプレポリマー；１種若しくはそれ以上の、水分に曝露したとき、有機ボランアミン錯体を脱錯化することができる酸を形成する部分を含有する、その主鎖内にシロキサン基を有する化合物、オリゴマー若しくはプレポリマー又はこれらの混合物を含む請求項１に記載の方法。
【請求項１６】
接着剤が重合性アクリレートモノマーを含む請求項１に記載の方法。
【請求項１７】
更に接着剤を受け入れるための隙間を含み、その隙間がスピゴットの接続外側表面の一部又は全部と、ベルの内側表面の一部又は全部との間に配置されている、請求項３記載の方法。
【請求項１８】
隙間が均一な厚さを有する請求項１７に記載の方法。
【請求項１９】
隙間がベル内の溝、スピゴットの外側表面と接触している、ベルの内側表面から隆起しているアライメントガイド、ベルの端部の中に嵌合しているガイドリング（該ガイドリングは、ベルよりも小さい内部直径を有する）、一定厚さのメッシュカラー、ガスケット、鋸歯状座金又はこれらの組合せを含む請求項１８に記載の方法。
【請求項２０】
６５０ｇ／Ｌよりも小さいＶＯＣ放出を有する請求項１に記載の方法。
【請求項２１】
２７０ｇ／Ｌよりも小さいＶＯＣ放出を有する請求項１に記載の方法。
【請求項２２】
修理が必要な１個又はそれ以上の表面を有する、新規な又は現存する、管、対象物又は管／対象物接合部の修理方法であって、
（ｉ）有効量の硬化性一液型又は二液型接着組成物を、修理が必要な表面に適用する工程（但し、この接着剤は（ａ）ホウ素含有開始剤化合物、（ｂ）１種又はそれ以上のフリーラジカル重合により重合することができるオレフィン性不飽和を有するモノマー、オリゴマー、ポリマー又はこれらの混合物及び（ｃ）任意的な脱錯化剤を含む）並びに
（ｉｉ）修理パッチを修理が必要な表面に接着する工程
を含んでなる方法。